(57)【要約】  【課題】画像読取装置において、原稿を浮き上がることなく原稿ガラスに密着させてセットすることを可能にして読取の品質を向上させることにある。  【解決手段】  原稿ガラス上２に原稿７を乗せて、該原稿７を原稿圧板４で押えてセットし、その原稿上の画像情報を読み取る画像読取装置１において、該原稿圧板の原稿を押さえる面側にジェル状の物質を封入した複数の袋５ａからなる原稿押さえマット５を有していることを特徴としている。原稿端部がカールしていたとしても、原稿の浮きを抑えて高品質な画像を提供することができる。また、原稿がブック原稿７’であっても、変形した袋５ａは原稿圧板４とブック原稿７’の間を埋めた状態で原稿圧板４を閉めるので、ブック原７’をより原稿ガラス２に押さえつけることができ、ブック原稿７’の浮きによる影を防止することができる。【選択図】      図１
2006235535.tif 000002
【特許請求の範囲】
【請求項１】
原稿ガラス上に原稿を乗せて、該原稿を原稿圧板で押さえてセットし、その原稿上の画像情報を読み取る画像読取装置において、前記原稿圧板の原稿を押さえる面側にジェル状の物質を封入した複数の袋からなる原稿押さえマットを有すことを特徴とする画像読取装置。
【請求項２】
前記原稿ガラスの端部に前記原稿ガラスよりも突出した原稿スケールを有し、前記原稿スケール端面が原稿セット端面であり、原稿を押さえるとき、前記原稿圧板の一部は、原稿スケール上に置かれることを特徴とする請求項１に記載の画像読取装置。
【請求項３】
前記原稿スケール側の原稿端部を押さえる前記袋の大きさが、原稿中心部を押さえる前記袋の大きさよりも小さいことを特徴とする請求項２記載の画像読取装置。
【請求項４】
前記ジェル状の物質が水を含有した吸水性ポリマーであることを特徴とする請求項１乃至３いずれかに記載の画像読取装置。
【発明の詳細な説明】
【技術分野】
【０００１】
この発明は、スキャナ・ファクシミリ・複写機などに備える画像読取装置に関する。詳しくは、光源からの光を原稿面に当て、その反射光を光電変換素子に入れて原稿面上の画像を読み取る画像読取装置に関する。
【０００２】
従来、この種の画像読取装置としては、図５に示すように、原稿ガラス１１上に原稿Ｇを乗せてその先端ｇをガイド部材１２の基準面１２ａに突き当て、該原稿Ｇを圧板１３で上から押さえてセットし、その原稿Ｇに下から光源の光を当てて原稿面上の画像情報を読み取るものがある。ところで、そのような画像読取装置では、圧板１３にスポンジ材１４を介して裏当てシート１５を設け、該圧板１３をその図中左端の肉薄部１３ａで折曲して開閉自在とする。そして、図示のごとく圧板１３を閉めたとき裏当てシート１５をその端部がガイド部材１２上に乗る位置まで設ける構成としている。
【０００３】
図５に示される従来の画像読取装置では、原稿の先端をガイド部材の基準面に突き当ててセットした後に圧板を閉めるが、圧板は原稿端部による影やスジの発生を防止するために、原稿スケールに乗る位置まで設けられているので、原稿ガラスの高さよりも突出した原稿スケール上に置かれることになる。そのため原稿ガラス上に置かれた原稿を、圧板で原稿ガラスに密着させることができずに、原稿が浮いてしまい、読み取り画像が歪むという問題が発生あった。
【０００４】
この問題を解決するために、特許文献１には凹部を原稿ガラスに沿って設け、その凹部内に原稿の厚さ方向に移動自在なガイド部材を配置し、開閉自在な圧板に圧縮スプリングからなる弾性部を設けておき、原稿をガイド部材の原稿押え部と原稿ガラスの隙間にいれてセットした後、圧板を閉めると、圧板に設けられた弾性部によって、該凹部内のガイド部材が押し下げられ、ガイド部材の原稿押え部で原稿の先端側を押える方法が開示されている。
【０００５】
また、画像形成装置における従来の原稿押え装置は、樹脂等で形成された押え板本体をヒンジ等を介して画像形成装置本体の上面の原稿載置面に開閉自在に支持された構成となっており、押え板が軽量で原稿押えが均一に行われないという問題があった。
【０００６】
そこで、特許文献２には、前記のような問題を解決するために、画像形成装置の原稿押え板本体を中空体として一体に形成し、その中空室内に流動性重量物（塩水や粉粒体）を封入した原稿押さえ装置が開示されている。
【特許文献１】特開平０６−１７８０６０号公報
【特許文献２】特開平０５−２７３４０号公報
【発明の開示】
【発明が解決しようとする課題】
【０００７】
特許文献１の画像読取装置では、原稿をガイド部材の原稿押え部と原稿ガラスの隙間にいれてセットしなければいけないので、原稿の端部がカールしていると、該隙間に入れることができず、原稿がさらに折れてしまうという問題があった。
【０００８】
また、特許文献２の画像読取装置では、押え板に重量を持たせることはできたが、画像形成装置の原稿押え板本体を中空体として一体に形成したので、原稿スケール端部付近の原稿の部分的な浮きを押さえて、影やスジを防止する効果は得られなかった。
【０００９】
本発明は、上記問題点に鑑み、この発明の目的は、画像読取装置において、原稿を浮き上がることなく原稿ガラスに密着させてセットすることを可能にして読取の品質を向上させることにある。
【課題を解決するための手段】
【００１０】
上記目的を達成するために本発明は、原稿ガラス上に原稿を乗せて、該原稿を原稿圧板で押さえてセットし、その原稿上の画像情報を読み取る画像読取装置において、該原稿圧板の原稿を押さえる面側にジェル状の物質を封入した複数の袋からなる原稿押さえマットを有していることを特徴としている。
【００１１】
また本発明は、前記画像読取装置において、前記原稿ガラスの端部に前記原稿ガラスよりも突出した原稿スケールを有し、前記原稿スケール端面が原稿セット端面であり、前記原稿圧板が閉じられると前記原稿圧板の一部は、原稿スケール上に置かれることを特徴としている。
【００１２】
また本発明は、前記画像読取装置において、前記原稿スケール側の原稿端部を押さえる前記袋の大きさが、原稿中心部を押さえる前記袋の大きさよりも小さいことを特徴としている。
また本発明は、前記原稿マットを形成する複数の袋に入ったジェル状の物質が、水を含有した吸水性ポリマーであることを特徴としている。
【発明の効果】
【００１３】
本発明の第１の構成によれば、ジェル状の物質を封入した複数の袋からなる原稿押さえマットを有し、原稿の部分的な浮きを押さえて、原稿全域を原稿ガラスに密着させてセットできるので、原稿端部がカールしていたとしても、原稿の浮きを抑えて高品質な画像を提供することができる。また、見開きの分厚いブック原稿をセットしても、ジェル状の物質を封入した袋の形状が柔軟に変化し、原稿のより広い範囲を押さえることができる。
【００１４】
また、本発明の第２の構成によれば原稿ガラスの端部に前記原稿ガラスよりも突出した原稿スケールを有し、前記原稿スケール端面が原稿セット端面である画像読取装置において、原稿圧板を閉めたとき原稿圧板の一部が原稿スケール上に乗る位置まで設けられていても、ジェル状の物質を封入した複数の袋からなる原稿押さえマットによって、原稿を押さえ、原稿をコンタクトガラスに密着させることできるので、原稿の浮きによる影や黒スジを防止することができる。
【００１５】
また、本発明の第３の構成によれば、本発明の第２の構成において、原稿スケールの側の原稿端部を押さえる前記袋の大きさを、原稿中心部を押さえる前記袋の大きさよりも小さくしたので、カールが発生しやすく、且つ、原稿ガラスに密着させにくい、原稿スケール側の端部であっても、原稿を原稿ガラスに密着させ、高品質な画像を得ることができる。
【００１６】
また、本発明の第４の構成によれば、ジェル状の物質を吸水性ポリマーとしたので、形状が柔軟に変化するとともに、袋が破れた場合であっても、回収が容易である。
【発明を実施するための最良の形態】
【００１７】
（第１の実施形態）
以下、図面を参照しつつ、この発明の実施例を説明する。
【００１８】
図１は、実施例に係る画像形成装置としての複写機の原稿圧板を開いた状態を示す斜視図である。図２は、図１の画像読取装置において原稿ガラス２上にブック原稿７’をセットし、原稿圧板４を閉じた状態を画像読取装置１の正面から示す概略構成図である。図３は図２における袋状の原稿押さえマット５付近の拡大図である。尚、図２と図３において、図1と同様の構成には同一の番号を付している。
【００１９】
図１において画像読取装置１は、上面に原稿載置台としての原稿ガラス２が設けられた複写機本体３と、複写機本体３の上端の奥側に設けられた図示しないヒンジを介して開閉自在に設置された原稿圧板４とから基本的に構成されている。
原稿ガラス２の下面の複写機本体３内には露光ランプを含む露光ユニット６が配置され、図１において原稿ガラス２の長手方向に移動して、原稿ガラス２上にガイド部材８、８’に突き当て置かれた原稿７をスキャンする。
【００２０】
原稿圧板４には、複数の袋５ａから形成される、後述する原稿マット５が備えられている。原稿マット５を形成する複数の袋５ａは、例えば不織布、ナイロン、ポリエチレンから形成されており、袋５ａには後述するジェル状の物質が自在に変形可能な充分な空間を残して封入されている。
【００２１】
図２に示すように、原稿の中でも、厚みのあるブック原稿７’は本の中心部分７’ａが原稿ガラス２と密着することができず、中心部分７’ａが浮いてしまい、その部分が黒く影となって印刷されてしまうという問題がある。
【００２２】
本発明の画像読取装置では、原稿ガラス２上にブック原稿７’をセットし原稿圧板４を閉じる時、ブック原稿の背の部分９に相当する、袋５ａ中のジェルが、原稿圧板４とブック原稿の背の部分９に挟まれながら、袋５ａの空間部に移動する。従って、ジェルが入った袋５ａはブック原稿の背の部分９の周囲と原稿圧板４間の空間を埋め、より広い面積でブック原稿７’を原稿ガラス２に押さえ付けることができる。以下にジェルが入った袋５ａがブック原稿７’を押さえるときの袋５ａ内のジェルの動き、を図３に基いて説明する。
【００２３】
図３は図２における袋状の原稿押さえマット５付近の拡大図である。理解のために袋５ａ内部のジェル１１を図示している。図３（ａ）は原稿ガラス２上に置かれたブック原稿７’をジェルが入った袋５ａが押さえる前の状態を示し、図３（ｂ）は原稿を押さえている状態を示す。
【００２４】
原稿マット５を構成する複数の袋５ａは、稿圧板４が原稿７’を押さえる時に容易に変形しやすいように、一定の隙間１０を空けて原稿圧板４に設けられている。袋５ａの中には流動性を有するジェル状の物質１１が、袋の容量の５０〜８０％入っている。ジェル状の物質１１の量が袋５ａの容量の５０％を下回ると、原稿を押さえる効果が少なくなり、８０％を超えると原稿圧板４を閉めた時に、ジェル状の物質の行き場が無くなり、袋’が破れる可能性があるので、袋内には一定の空間を空けておく必要がある。
【００２５】
原稿圧板４が原稿を押さえていない図３（ａ）状態の時には、複数の袋５ａはそれぞれほぼ同じ形を維持しているが、ブック原稿７’を押さえると図３（ｂ）に示すように、ブック原稿７’の背９の位置に相当するジェル状の物質１１が押されて袋５ａの空間に流れるため、袋５ａは変形し、隣接する袋との隙間が少なくなる。従って原稿マット５を構成する複数の袋５ａは、一定の隙間１０を空けて原稿圧板４に設ける必要がある。
【００２６】
ジェル状の物質１１は変形自在で、且つ原稿を押さえる重みを有する物質が好ましく、例えば水を含有した吸水性ポリマーを用いることができる。使用できる吸水性ポリマーとしては、ポリビニルアルコール、ポリビニルピロリドン等が挙げられる。
【００２７】
変形した袋５ａはブック原稿７’の凹凸に合わせて原稿圧板４とブック原稿７’の間を埋め、原稿圧板４とブック原稿７’の間を埋めた状態で原稿圧板４を閉めるので、ブック原稿７’をより原稿ガラス２に押さえつけることができ、ブック原稿７’の浮きによる影を防止することができる。
【００２８】
（第２の実施形態）
図４は原稿スケール８を原稿ガラス２の端面に設置し、原稿の先端を原稿スケール２の基準面８ａに突き当て、原稿７を原稿圧板４で上から押さえてセットした場合を、画像読取装置１の正面から示す概略構成図である。図1と同様の構成には同一の番号を付している。図４（ａ）は本発明の原稿圧板４にジェル状の物質を封入した複数の袋５ａからなる原稿押さえマット５を有している図である。図４（ｂ）は本発明の該原稿マット５を有していない画像読取装置を参考として図示している。
【００２９】
図４（ｂ）に示される画像読取装置１は、原稿端部による影やスジの発生を防止するために、原稿圧板４を原稿スケール８上に乗る位置まで設けている。原稿７は、その先端を原稿スケール８の基準面８ａに突き当てて、原稿ガラス２上に置き、原稿７を原稿圧板４で上から押えてセットし、原稿７に下から光源の光を当てて原稿面上の画像情報を読み取る。
【００３０】
しかし、原稿圧板４は原稿スケール８上に乗るため、原稿ガラス２と原稿マットの間に空間が生じ、原稿ガラス２上に置かれた原稿７が密着することができない。そのため、図４（ｂ）のように原稿７の端部がカールしていたら、そのカールを修正することなしに画像形成が行われるため、カール部分の画像がぼけてしまう。
【００３１】
一方、本発明の図４（ａ）のように、ジェル状の物質を封入した複数の袋５ａからなる原稿押さえマット５を有すると、原稿スケ−ル８の突出によって、原稿ガラス２と原稿圧板４の間に形成された隙間を、ジェル状の物質を封入した複数の袋５ａによって押さえることができるので、原稿の浮きによる、影やスジを防止することができる。
【００３２】
また、原稿圧板４を閉めた時に、原稿スケール８付近に相当するジェル状の物質を封入した複数の袋５ａの大きさを、原稿ガラス４の中央部に相当する部分の大きさよりも、小さくしている。
【００３３】
このように、原稿スケール８付近に相当する原稿押さえマットの袋５ａの大きさを小さくし、多数有することによって、原稿を置いた時に、原稿の浮きが生じやすい原稿端部も、原稿ガラス４に密着させることができる。
【００３４】
さらに、原稿押さえマット５の袋５ａは、原稿圧板４を閉じた時に、原稿スケール８と一部がオーバーラップしても良い。原稿スケール８とオーバーラップすることで、原稿スケール端面と接する部分の原稿端面を、隙間無く原稿ガラス４に密着させることができる。
【００３５】
なお、上記実施例は本発明の一構成例にすぎず、ジェル状の物質や、ジェル状の物質を封入した複数の袋の大きさ、配置位置、および袋の材料は、画像形成装置に応じて適宜設定することができる。
【産業上の利用可能性】
【００３６】
本発明の活用例としては、原稿を読みとる複写機、スキャナー装置、ファクシミリ、スキャナー装置等の画像形成装置が挙げられる。
【図面の簡単な説明】
【００３７】
【図１】は、本発明の画像読取装置の原稿圧板を開いた状態を示す斜視図である。
【図２】は、本発明の画像読取装置にブック原稿７’をセットし、原稿圧板４を閉じた状態を示す図である。
【図３】は、本発明の画像読取装置における袋状の原稿押さえマット５付近の拡大図である。
【図４】は、本発明の画像読取装置において、原稿スケールを有する場合を表わした図である。
【図５】は、従来の画像読取装置の断面図である。
【符号の説明】
【００３８】
１              画像読取装置
２              原稿ガラス
４              原稿圧板
５              原稿マット
５ａ            袋
８              原稿スケール
８ａ            原稿スケール
１１            ジェル
【図１】
2006235535.tif 000003
【図２】
2006235535.tif 000004
【図３】
2006235535.tif 000005
【図４】
2006235535.tif 000006
【図５】
2006235535.tif 000007